【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】情報信号処理装置、画像情報変換装置、画像表示装置、および画像処理装置
【手続補正２】
【補正対象書類名】明細書
【補正対象項目名】特許請求の範囲
【補正方法】変更
【補正の内容】
【特許請求の範囲】
【請求項１】
入力情報信号に対して所定の処理を行うための信号処理回路と、
該信号処理回路の外部から制御信号を供給するための制御信号源と、
該制御信号に基づいて上記信号処理回路に対する動作条件設定信号を発生する動作条件設定回路とを有し、
上記制御信号に応じて上記信号処理回路の動作態様が可変されるようになされた情報信号処理装置。
【請求項２】
入力情報信号に対して所定の処理を行うための信号処理回路と、
該信号処理回路の外部から制御信号を供給するための制御信号源と、
該制御信号に基づいて上記信号処理回路に対する動作条件設定信号を発生する動作条件設定回路とを有し、上記制御信号に応じて上記信号処理回路の動作態様を可変し得るようになされた情報信号処理装置であって、
上記信号処理回路は、少なくとも２個以上の処理部を有し、上記動作条件設定信号に応じて上記処理部の内の少なくとも一つの処理部の動作態様を可変すると共に、この動作態様の変化に関連して他の処理部の動作態様が可変されるようにしたことを特徴とする情報信号処理装置。
【請求項３】
入力画像信号から前記入力画像信号との異なる出力画像信号を形成するようにした画像情報変換装置において、
出力画像信号の作成すべき第１の画素の周辺に位置する入力画像信号の複数の第２の画素を選択する第１のデータ選択手段と、
出力画像信号の作成すべき第１の画素の周辺に位置する入力画像信号の複数の第３の画素を選択する第２のデータ選択手段と、
予め取得されている推定式係数を記憶するメモリ手段と、
上記第１のデータ選択手段で選択された第２の画素と上記推定式係数の線形推定式によって、上記第１の画素を作成する画素値作成手段と、
上記第２のデータ選択手段で選択された第３の画素に基づいて、クラス情報を形成し、上記クラス情報に対応して上記推定式係数を上記画素値作成手段に供給するクラス決定手段と、
上記画素値作成手段に対して接続され、変換画像を指定された走査線構造へ変換するための走査変換手段と、
出力画像信号の走査線構造を指定する制御信号を受け取って、上記制御信号に従って少なくとも、上記推定式係数と、上記第１および第２のデータ選択手段により選択される上記第２および第３の画素のうちの１つを切り替える制御手段とからなる
ことを特徴とする画像情報変換装置。
【請求項４】
入力画像信号から前記入力画像信号との異なる出力画像信号を形成するようにした画像情報変換装置において、
必要とされる信号変換毎に少なくとも、第１の選択位置情報、第２の選択位置情報、および変換に必要とされるクラス数分の推定式係数を記憶するメモリ手段と、
上記メモリ手段から所望の信号変換に対応する情報を選択し、第１の選択位置情報レジスタ、第２の選択位置情報レジスタ、推定式係数メモリへデータをロードする情報設定手段と、
上記情報設定手段により設定された第１の選択位置情報に従って、出力画像信号の作成すべき第１の画素の位置と特定の位置関係にある複数の第２の画素を選択する第１のデータ選択手段と、
上記情報設定手段により設定された第２の選択位置情報に従って、出力画像信号の作成すべき第１の画素の位置と特定の位置関係にある複数の第３の画素を選択する第２のデータ選択手段と、
上記第１のデータ選択手段で選択された第２の画素と上記推定式係数の線形推定式によって、上記第１の画素を作成する画素値作成手段と、
上記第２のデータ選択手段で選択された第３の画素に基づいて、クラス情報を形成し、上記クラス情報に対応して上記推定式係数を上記画素値作成手段に供給するクラス決定手段と、
上記画素値作成手段に対して接続され、変換画像を指定された走査線構造へ変換するための走査変換手段とから
なることを特徴とする画像情報変換装置。
【請求項５】
請求項３または４において、
走査変換手段を制御することにより、線順次化の処理とフィールド倍速化の処理とを切り替えるようにしたことを特徴とする画像情報変換装置。
【請求項６】
請求項３または４において、
入力画像信号が走査線数Ｎ本のインターレス信号であり、出力画像信号が走査線数Ｎ本のプログレッシブ信号または走査線数がほぼ２Ｎ本のインターレス信号であることを特徴とする画像情報変換装置。
【請求項７】
請求項３または４において、
入力画像信号が走査線数Ｎ本のインターレス信号であり、出力画像信号が走査線数Ｎ本のプログレッシブ信号または走査線数Ｎ本でフィールド倍速化したインターレス信号であることを特徴とする画像情報変換装置。
【請求項８】
入力画像信号を受け取って表示装置に画像信号を表示するようにした画像表示装置において、
入力画像信号源と表示装置との間に、入力画像信号から前記入力画像信号となる出力画像信号を形成するようにした画像情報変換装置を設け、
上記画像情報変換装置は、
出力画像信号の作成すべき第１の画素の周辺に位置する入力画像信号の複数の第２の画素を選択する第１のタップ選択手段と、
出力画像信号の作成すべき第１の画素の周辺に位置する入力画像信号の複数の第３の画素を選択する第２のタップ選択手段と、
予め取得されている推定式係数を記憶するメモリ手段と、
上記第１のタップ選択手段で選択された第２の画素と上記推定式係数との演算によって、上記第１の画素を作成する画素値作成手段と、
上記第２のタップ選択手段で選択された第３の画素に基づいて、クラス情報を形成し、上記クラス情報に対応して上記推定式係数を上記画素値作成手段に供給するクラス決定手段と、
上記画素値作成手段に対して接続され、変換画像を指定された走査線構造へ変換するための走査変換手段と、
変換方法を指定する制御信号を受け取って、上記制御信号に従って少なくとも、上記推定式係数と、上記第１および第２のタップ選択手段により選択される上記第２および第３の画素のうちの１つを切り替える制御手段とからなることを特徴とする画像表示装置。
【請求項９】
入力画像信号から上記入力画像信号の方式と異なる方式の出力画像信号の作成すべき第１の画素の位置と特定の位置関係にある上記入力画像信号の複数の第２の画素を選択する第１のデータ選択手段と、
上記第１のデータ選択手段で選択された第２の画素に基づいて、上記第１の画素のクラス情報を形成するクラス決定手段と、
第１のメモリ手段と、
各クラスに、上記出力画像信号の方式に関する少なくとも２つの変換情報が記憶されている第２のメモリ手段と、
上記入力画像信号を上記入力画像信号の方式と異なる方式の上記出力画像信号に変換する変換手段とからなり、
上記第１のメモリには、第２のメモリ手段に記憶されている変換情報のうちの１つが上記出力画像信号の方式に関する選択信号に基づき記憶され、
上記変換手段は、上記第１のメモリに記憶された変換情報と上記クラスに基づき、上記入力信号を変換することを特徴とする画像処理装置。
【手続補正３】
【補正対象書類名】明細書
【補正対象項目名】０００１
【補正方法】変更
【補正の内容】
【０００１】
【発明の属する技術分野】
この発明は、例えば、テレビジョン受像機に用いて好適な情報信号処理装置、画像情報変換装置、画像表示装置、および画像処理装置に関する。
【手続補正４】
【補正対象書類名】明細書
【補正対象項目名】０００５
【補正方法】変更
【補正の内容】
【０００５】
【発明が解決しようとする課題】
この発明の一つの目的は、複数のハードウエア（回路ブロック）を切り替えることにより生じるハードウエアの規模の増大を防止することにある。すなわち、信号処理回路のハードウエアの基本的構造が同一であって、外部から動作条件設定信号を与えることによって信号処理回路の動作態様を変更可能とした情報信号処理装置を実現するものである。また、この発明は、画像信号の走査線構造を変換する場合に、指定した走査線構造の出力画像信号を得ることが可能な情報信号処理装置、画像情報変換装置、画像表示装置、および画像処理装置を提供するものである。
【手続補正５】
【補正対象書類名】明細書
【補正対象項目名】０００７
【補正方法】変更
【補正の内容】
【０００７】
請求項３の発明は、入力画像信号から前記入力画像信号との異なる出力画像信号を形成するようにした画像情報変換装置において、
出力画像信号の作成すべき第１の画素の周辺に位置する入力画像信号の複数の第２の画素を選択する第１のデータ選択手段と、
出力画像信号の作成すべき第１の画素の周辺に位置する入力画像信号の複数の第３の画素を選択する第２のデータ選択手段と、
予め取得されている推定式係数を記憶するメモリ手段と、
第１のデータ選択手段で選択された第２の画素と推定式係数の線形推定式によって、第１の画素を作成する画素値作成手段と、
第２のデータ選択手段で選択された第３の画素に基づいて、クラス情報を形成し、クラス情報に対応して推定式係数を画素値作成手段に供給するクラス決定手段と、
画素値作成手段に対して接続され、変換画像を指定された走査線構造へ変換するための走査変換手段と、
出力画像信号の走査線構造を指定する制御信号を受け取って、制御信号に従って少なくとも、推定式係数と、第１および第２のデータ選択手段により選択される第２および第３の画素のうちの１つを切り替える制御手段とからなる
ことを特徴とする画像情報変換装置である。
【手続補正６】
【補正対象書類名】明細書
【補正対象項目名】０００８
【補正方法】変更
【補正の内容】
【０００８】
請求項８の発明は、入力画像信号を受け取って表示装置に画像信号を表示するようにした画像表示装置において、
入力画像信号源と表示装置との間に、入力画像信号から前記入力画像信号となる出力画像信号を形成するようにした画像情報変換装置を設け、
画像情報変換装置は、
出力画像信号の作成すべき第１の画素の周辺に位置する入力画像信号の複数の第２の画素を選択する第１のタップ選択手段と、
出力画像信号の作成すべき第１の画素の周辺に位置する入力画像信号の複数の第３の画素を選択する第２のタップ選択手段と、
予め取得されている推定式係数を記憶するメモリ手段と、
第１のタップ選択手段で選択された第２の画素と推定式係数との演算によって、第１の画素を作成する画素値作成手段と、
第２のタップ選択手段で選択された第３の画素に基づいて、クラス情報を形成し、クラス情報に対応して推定式係数を画素値作成手段に供給するクラス決定手段と、
画素値作成手段に対して接続され、変換画像を指定された走査線構造へ変換するための走査変換手段と、
変換方法を指定する制御信号を受け取って、制御信号に従って少なくとも、推定式係数と、第１および第２のタップ選択手段により選択される第２および第３の画素のうちの１つを切り替える制御手段とからなることを特徴とする画像表示装置である。